(57)【要約】      （修正有）【課題】清掃対象物から汚れを十分、確実に剥がして除去できる清掃用具を提供する。【解決手段】清掃用具Ｘ１は、複数の緯糸の間に複数の経糸を織込んだ基布１、及び基布１に織込まれて、基布１の布表面から突出する複数のカットパイル糸２からなるカットパイル織物Ｙ１と、カットパイル織物Ｙ１の布裏面１Ｙに接着されるスポンジ材Ｚを備える。全てのカットパイル糸２は、経方向Ｑにおいて、一方向Ｑ１に傾斜されている。清掃用具Ｘ１は、各カットパイル糸２の先端を清掃対象物に当接して、各カットパイル糸２の傾斜する一方向に向けて摺動して、清掃対象物から汚れを剥がして除去する。【選択図】図１
0003212143.tif 000002
【実用新案登録請求の範囲】
【請求項１】
経方向に並ぶ複数の緯糸の間に緯方向に並ぶ複数の経糸を織込んだ２枚の基布、及び前記各基布の間に複数配置され、前記各基布に織込まれるパイル糸を有するパイル織物において、前記パイル織物の前記各基布の間に配置された前記各パイル糸を切断することで得られる、一の基布及び当該基布の布表面から突出する複数のカットパイル糸からなるカットパイル織物と、
前記カットパイル織物の布裏面に接着されるスポンジ材と、
を備え、
全ての前記カットパイル糸は、一方向に傾斜されている
ことを特徴とする清掃用具。
【請求項２】
経方向に並ぶ複数の緯糸の間に緯方向に並ぶ複数の経糸を織込んだ基布、及び前記基布に織込まれ、前記基布の布表面から突出する複数のカットパイル糸からなるカットパイル織物と、
前記カットパイル織物の布裏面に接着されるスポンジ材と、
を備え、
全ての前記カットパイル糸は、一方向に傾斜されている
ことを特徴とする清掃用具。
【請求項３】
前記経糸、前記緯糸、及び前記カットパイル糸は、ポリアミド繊維、ポリエステル繊維、ポリプロピレン繊維、アクリル繊維を含む合成繊維、レーヨン繊維を含む再生繊維、綿を含む植物繊維を素材とする長繊維、短繊維からなる
ことを特徴とする請求項１又は請求項２に記載の清掃用具。
【考案の詳細な説明】
【技術分野】
【０００１】
本考案は、浴室、浴槽又は床面等を清掃（洗浄）する際に用いられる清掃用具に関する。
【背景技術】
【０００２】
清掃用具の技術として、特許文献１は、カットパイル織物、及びスポンジ材からなる洗浄用具を開示する、カットパイル織物は、基布に織込まれた複数のカットパイル糸を有し、カットパイル面を表面側に向けてスポンジ材に接着されている。
特許文献１では、洗浄用具のカットパイル糸を食器類の汚れ面に圧接し、スポンジ材を把持して摺動することで、カットパイル糸にて食器類から汚れを剥がして除去している。
【先行技術文献】
【特許文献】
【０００３】
【特許文献１】特開２００７−２４４５９８号公報
【考案の概要】
【考案が解決しようとする課題】
【０００４】
特許文献１の洗浄用具では、各カットパイルは、多方向に広がって基布に織込まれるので、食器類の汚れを十分に剥がして除去できない虞がある。
【０００５】
本考案は、清掃対象物から汚れを十分、確実に剥がして除去できる清掃用具を提供することにある。
【課題を解決するための手段】
【０００６】
本考案に係る請求項１は、経方向に並ぶ複数の緯糸の間に緯方向に並ぶ複数の経糸を織込んだ２枚の基布、及び前記各基布の間に複数配置され、前記基布に織込まれるパイル糸を有するパイル織物において、前記パイル織物の前記各基布の間に配置された前記各パイル糸を切断することで得られる、一の基布及び当該基布の布表面から突出する複数のカットパイル糸からなるカットパイル織物と、前記カットパイルの布裏面に接着されるスポンジ材と、を備え、全ての前記カットパイル糸は、一方向に傾斜されていることを特徴とする清掃用具である。
【０００７】
本考案に係る請求項２は、経方向に並ぶ複数の緯糸の間に緯方向に並ぶ複数の経糸を織込んだ基布と、前記基布に織込まれ、前記基布の布表面から突出する複数のカットパイル糸からなるカットパイル織物と、前記カットパイル織物の布裏面に接着されるスポンジ材と、を備え、全ての前記カットパイル糸は、一方向に傾斜されていることを特徴とする清掃用具である。
【０００８】
本考案に係る請求項３は、前記経糸、前記緯糸、及び前記カットパイル糸は、ポリアミド繊維、ポリエステル繊維、ポリプロピレン繊維、アクリル繊維を含む合成繊維、レーヨン繊維を含む再生繊維、綿を含む植物繊維を素材とする長繊維、短繊維からなることを特徴とする請求項１又は請求項２に記載の清掃用具である。
【考案の効果】
【０００９】
本考案に係る請求項１によれば、スポンジ材を把持して、カットパイル織物の各カットパイル糸を清掃対象物（例えば、浴室の床面）に向けて配置すると、全てのカットパイル糸は。一方向に揃えられて傾斜して、清掃対象物（洗浄対象物）に当接する。
これにより、清掃対象物を清掃（洗浄）する際に、清掃用具をカットパイル糸の傾斜する一方向に摺動することで、全てのカットパイル糸にて清掃対象物の汚れを剥がすことができ、汚れを清掃対象物から十分、確実に除去することが可能となる。
【００１０】
本考案に係る請求項２によれば、スポンジ材を把持して、カットパイル織物の各カットパイル糸を清掃対象物（例えば、浴室の床面）に向けて配置すると、全てのカットパイル糸は。一方向に揃えられて傾斜して、清掃対象物（洗浄対象物）に当接する。
これにより、清掃対象物を清掃（洗浄）する際に、清掃用具をカットパイル糸の傾斜する一方向に摺動することで、全てのカットパイル糸にて清掃対象物の汚れを剥がすことができ、汚れを清掃対象物から十分、確実に除去することが可能となる。
【００１１】
本考案に係る請求項３によれば、基布の経糸、緯糸、及びカットパイル糸として、ポリアミド繊維、ポリエステル繊維、ポリプロピレン繊維、アクリル繊維を含む合成繊維、レーヨン繊維を含む再生繊維、綿を含む植物繊維を素材とする長繊維、短繊維を使用しているので、適度な柔軟性と硬さを持たせることができ、清掃対象物を傷つけることなく、清掃対象物から汚れを剥がして除去できる。
【図面の簡単な説明】
【００１２】
【図１】第１及び第２実施形態の清掃用具を示す斜視図である。
【図２】第１実施形態の清掃用具であって、図１のカットパイル織物の部分拡大斜視図である。
【図３】第１実施形態の清掃用具であって、図１のＡ−Ａ断面拡大図である。
【図４】第１実施形態の清掃用具であって、パイル織物を示す斜視図である。
【図５】図４のパイル織物を示す側面拡大図である。
【図６】図４のパイル織物の複数のパイル経糸を切断した状態を示す側面拡大図である。
【図７】第１実施形態の清掃用具にて浴室の床面を清掃（洗浄）する状態を示す側面拡大図である。
【図８】第２実施形態の清掃用具であって、図１のカットパイル織物の部分拡大斜視図である。
【図９】第２実施形態の清掃用具であって、図１のＡ−Ａ断面拡大図である。
【図１０】第２実施形態の清掃用具であって、パイル織物を示す斜視図である。
【図１１】図１０のパイル織物を示す側面拡大図である。
【図１２】図１０のパイル織物の複数のパイル経糸を切断した状態を示す側面拡大図である。
【図１３】第２実施形態の清掃用具にて浴室の床面を清掃（洗浄）する状態を示す側面拡大図である。
【考案を実施するための形態】
【００１３】
本考案に係る第１及び第２実施形態の清掃用具について、図１乃至図１３を参照して説明する。
【００１４】
＜第１実施形態の清掃用具＞
以下、第１実施形態の清掃用具について、図１乃至図７を参照して説明する。
【００１５】
図１乃至図３において、第１実施形態の清掃用具Ｘ１（以下、「清掃用具Ｘ１」という）は、カットパイル織物Ｙ１と、スポンジ材Ｚを備えて構成される。
【００１６】
＜カットパイル織物Ｙ１＞
カットパイル織物Ｙ１は、図１乃至図３に示すように、基布１、及び複数のカットパイル経糸（カットパイル糸）２，２，…からなる。
【００１７】
＜基布１＞
基布１は、図２及び図３に示すように、複数の経糸１Ａ，１Ａ，…、及び複数の緯糸１Ｂ，１Ｂ，…を製織（織成）して形成される。
複数の経糸１Ａ，１Ａ，…は、図２に示すように、緯方向Ｐ（織幅方向）に隙間を隔てて配置される。各経糸１Ａ，１Ａ，…は、緯方向Ｐに並んで配置される。各経糸１Ａ，１Ａ，…は、経方向Ｑ（織方向）に沿って配置され、経方向Ｑに延びている。
複数の緯糸１Ｂ，１Ｂ，…は、図２及び図３に示すように、経方向Ｑに隙間を隔てて配置される。各緯糸１Ｂ，１Ｂ，…は、経方向Ｑに並んで配置される。各緯糸１Ｂ，１Ｂ，…は、緯方向Ｐに沿って配置され、緯方向Ｐに延びている。
基布１は、経方向Ｑに並んだ各緯糸１Ｂ，１Ｂ，…の間に、緯方向Ｐに並んだ各経糸１Ａ，１Ａ，…を織込んで形成される。
基布１において、経糸１Ａ及び緯糸１Ｂは、複数の繊維を束ねて（撚って）構成され、例えば、ポリアミド繊維、ポリエステル繊維、ポリプロピレン繊維、アクリル繊維を含む合成繊維、レーヨン繊維を含む再生繊維、綿を含む植物繊維を素材とする長繊維、短繊維でなる。長繊維は、マルチフィラメント又はモノフィラメントである。
なお、緯方向Ｐ（織方向）は、経方向Ｑ（織幅方向）に直交する方向である（以下、同様）。
【００１８】
＜カットパイル経糸２＞
複数のカットパイル経糸２，２，…は、図２及び図３に示すように、緯方向Ｐにおいて、各経糸１Ａ，１Ａ，…の間に配置される。各カットパイル経糸２，２，…は、経方向Ｑに沿って基布１に織込まれる。
各カットパイル経糸２，２，…は、図２及び図３に示すように、経方向Ｑに並ぶ３本の緯糸１Ｂ，１Ｂ，１Ｂに通されて基布１に織込まれる。
各カットパイル経糸２，２，…は、一方側の１本の緯糸１Ｂの下を通り、中間の１本の緯糸１Ｂの上を通った後に、他方側の１本の緯糸１Ｂの下を通って、基布１に織込まれる。
この場合、基布１に織込まれる各カットパイル経糸２，２，…は、Ｗ型パイル（Ｗ織りパイル）を構成している。
これにより、複数のカットパイル経糸２，２，…は、基布１の布表面１Ｘに起立して配置される。各カットパイル経糸２，２，…は、上下方向ＵＤにおいて、基布１の布表面１Ｘから一定高さｈを有して、上方に突出する。なお、上下方向ＵＤは、緯方向Ｐ及び経方向Ｑに直交する方向である（以下、同様）。
全てのカットパイル経糸２，２，…は、図２及び図３に示すように、同一方向であって、例えば、経方向Ｑにおいて、一方向Ｑ１（右方向）に傾斜されている。
全てのカットパイル経糸２，２，…は、図３に示すように、基布１の布表面１Ｘから上方に傾斜角θを有して一方向Ｑ１（右方向）に傾斜されている。各カットパイル経糸２，２，…の傾斜角θは、０度（０°）を超えて９０度（９０°）未満（０°＜θ＜９０°）であって、清掃用具Ｘ１の用途に応じて適宜選択される。
カットパイル経糸２，２，…は、基布１の経糸１Ａ及び緯糸１Ｂと同様に、複数の繊維２Ａ，２Ａ，…を束ねて（撚って）構成され、例えば、ポリアミド繊維、ポリエステル繊維、ポリプロピレン繊維、アクリル繊維を含む合成繊維、レーヨン繊維を含む再生繊維、綿を含む植物繊維を素材とする長繊維、短繊維でなる。長繊維は、マルチフィラメント又はモノフィラメントである。
【００１９】
＜スポンジ材Ｚ＞
スポンジ材Ｚは、例えば、独立気泡の軟質ポリエチレンフォーム、独立気泡の軟質ポリウレタンフォームで形成される。スポンジ材Ｚは、例えば、直方体、立方体に形成される。
スポンジ材Ｚは、図１及び図３に示すように、カットパイル織物Ｙ１の布裏面１Ｙ（基布１及びカットパイル経糸２の布裏面）に接着される。
カットパイル織物Ｙ１は、布裏面１Ｙをスポンジ材Ｚの上平面３Ｘ（一の平面）に向けて、スポンジ材Ｚの上平面３Ｘ上に載置される。カットパイル織物Ｙ１は、各カットパイル経糸２，２，…を上方に向けて、スポンジ材Ｚの上平面Ｘにわたって載置される。
スポンジ材Ｚ、及びカットパイル織物Ｙ１は、布裏面１Ｙ及び上平面３Ｘの間に接着剤４を介在して接合（接着）される。
【００２０】
カットパイル織物Ｙ１は、例えば、二重パイル織機によって得られる。二重パイル織機は、図４及び図５に示すように、２枚の基布１，１、及び上下方向ＵＤにおいて、各基布１，１の間に複数配置されるパイル経糸５（パイル糸）を有するパイル織物Ａを形成（製織）する。
二重パイル織機は、経糸１Ａ及び緯糸１Ｂにて地組織の２枚（上下二枚）の基布１，１を織って行く際に、パイル経糸５を各基布１，１に織込んで、各基布１，１の間に複数のパイル経糸５，５，…を配置したパイル織物Ａを形成（製織）する。パイル経糸５は、各基布１，１の３本の緯糸１Ｂ，１Ｂ，１ＢにＷ織りされて、各基布１，１に織込まれる。
二重パイル織機は、パイル織物Ａを形成（製織）すると、図５及び図６に示すように、パイル織物Ａの各基布１，１の間に配置された全てのパイル経糸５を切断する。各基布１，１間に配置した各パイル経糸５，５，…は、各基布１，１の間の中央にて二分割に切断される。
このように、パイル織物Ａの各基布１，１の間にて各パイル経糸５，５，…を切断することで、一の基布１（１枚の基布１）及びこの基布１の布表面１Ｘから突出する複数のカットパイル経糸２，２，…からなるカットパイル織物Ｙ１を得る。カットパイル織物Ｙ１において、各カットパイル経糸２を構成する複数の繊維２Ａ，２Ａ，…（例えば、ポリアミド繊維）は、図６に示すように、多方向に広がった状態になる。
カットパイル織物Ｙ１は、各カットパイル経糸２，２，…に傾斜処理又は傾斜加工を施して傾斜させる。これにより、全てのカットパイル経糸２，２，…は、同一方向であって、例えば、経方向Ｑにおいて、一方向Ｑ１に傾斜される。各カットパイル経糸２，２，…を構成する複数の繊維２Ａ，２Ａ，…も、例えば、経方向Ｑにおいて、一方向Ｑ１（右方向）に傾斜される。
【００２１】
清掃用具Ｘ１は、清掃対象物（洗浄対象物）、例えば、浴室Ｆの床面ＦＬを清掃（洗浄）する際に使用される。清掃用具Ｘ１は、図７に示すように、カットパイル織物Ｙ１の各カットパイル経糸２，２，…を床面ＦＬに接触して配置される。
このとき、全てのカットパイル経糸２，２，…（各繊維２Ａ）は、図７に示すように、経方向Ｑの一方向Ｑ１に揃えられて傾斜して、浴室Ｆの床面ＦＬに当接される。
【００２２】
続いて、スポンジ材Ｚを把持して、各カットパイル経糸２，２，…を浴室Ｆの床面ＦＬに押付ける。これにより、各カットパイル経糸２，２，…（各繊維２Ａ，２Ａ，…）は、経方向Ｑの一方向Ｑ１に揃えられて傾斜した状態で変形され、浴室Ｆの床面ＦＬに圧接される。
各カットパイル経糸２，２，…を床面ＦＬに圧接した状態において、清掃用具Ｘ１を、カットパイル織物Ｙ１（基布１）の経方向Ｑに往復摺動（往復移動）する。
清掃用具Ｘ１は、経方向Ｑの一方向Ｑ１への摺動によって、全てのカットパイル経糸２，２，…（各繊維２Ａ）の先端（先端面）を床面ＦＬに引掛ける（食込ませる）ように圧接して摺動される。
これにより、全てのカットパイル経糸２，２，…（各繊維２Ａ）は、浴室Ｆの床面ＦＬの汚れを床面ＦＬから剥して捕捉する。
【００２３】
一方、清掃用具Ｘ１は、図７に示すように、経方向Ｑの他方向Ｑ２への摺動によって、全てのカットパイル経糸２，２，…（繊維２Ａ）を浴室Ｆの床面ＦＬに滑らかに圧接する。このとき、全てのカットパイル経糸２，２，…（繊維２Ａ）は、経方向Ｑ１の一方向Ｑ１に傾斜されつつ、経方向Ｑの他方向Ｑ１に摺動され、浴室Ｆの床面Ｆｌの汚れを拭取る。
なお、浴室Ｆの床面ＦＬの清掃（洗浄）において、清掃用具Ｘ１のスポンジ材Ｚに洗剤及び水を含ませて清掃（洗浄）する。スポンジ材Ｚに含ませた洗剤及び水は、スポンジ材Ｚから直接、浴室Ｆの床面ＦＬに塗布され、又、スポンジ材Ｚの上平面３Ｘからカットパイル織物Ｙ１に流れて、各カットパイル経糸２，２，…（繊維２Ａ）に塗布される。
【００２４】
このように、第１実施形態の清掃用具Ｘ１では、全てのカットパイル経糸２，２，…（繊維２Ａ）を同一方向であって、例えば、経方向Ｑ１の一方向Ｑ１に傾斜させている。
これにより、清掃対象物（洗浄対象部）を清掃（洗浄）する際に、清掃用具Ｘ１を各カットパイル経糸２，２，…（繊維２Ａ）の傾斜する一方向に摺動することで、全てのカットパイル経糸２，２，…（繊維２Ａ）にて清掃対象物の汚れを剥がすことができる。
【００２５】
＜第２実施形態の清掃用具Ｘ２＞
以下、第２実施形態の清掃用具について、図１、図８乃至図１３を参照して説明する。
なお、図８乃至図１３において、図１乃至図７と同一符号は、同一構成、同一部材であるので、その詳細な説明は省略する。
【００２６】
図１、図８及び図９において、第２実施形態の清掃用具Ｘ２（以下、「清掃用具Ｘ２」という）は、カットパイル織物Ｙ２、及びクッション材Ｚを備えて構成される。
【００２７】
＜カットパイル織物Ｙ２＞
カットパイル織物Ｙ２は、図８及び図９に示すように、基布１、及び複数のカットパイル経糸（カットパイル糸）２２，２２，…からなる。
【００２８】
＜カットパイル経糸２２＞
複数のカットパイル経糸２２，２２，…は、図８及び図９に示すように、緯方向Ｐにおいて、各経糸１Ａ，１Ａ，…の間に配置される。各カットパイル経糸２２，２２，…は、経方向Ｑに沿って基布１に織込まれる。
各カットパイル経糸２２，２２，…は、図８及び図９に示すように、経方向Ｑに並ぶ１本の緯糸１Ｂに通されて基布１に織込まれる。
各カットパイル経糸２２，２２，…は、各緯糸１Ｂ，１Ｂ，…において、１本の緯糸１Ｂの下を通って、基布１に織込まれる。
この場合、基布１に織込まれるカットパイル経糸２２は、Ｖ型パイル（Ｖ織りパイル）を構成している。
これにより、複数のカットパイル経糸２２，２２，…は、基布１の布表面１Ｘに起立して配置される。各カットパイル経糸２２，２２，…は、上下方向ＵＤにおいて、基布１の布表面１Ｘから一定高さｈを有して、上方に突出する。
各カットパイル経糸２２，２２は、図８及び図９に示すように、同一方向であって、例えば、経方向Ｑにおいて、一方向Ｑ１（右方向）に傾斜されている。
全てのカットパイル経糸２２，２２，…は、図９に示すように、基布１の布表面１Ｘから上方向に傾斜角θを有して一方向（右方向）に傾斜されている。
カットパイル経糸２２，２２，…は、複数の繊維２２Ａ，２２Ａ，…を束ねて（撚って）構成され、例えば、ポリアミド繊維、ポリエステル繊維、ポリプロピレン繊維、アクリル繊維を含む合成繊維、レーヨン繊維を含む再生繊維、綿を含む植物繊維を素材とする長繊維、短繊維でなる。長繊維は、マルチフィラメント又はモノフィラメントである。
【００２９】
＜スポンジ材Ｚ＞
スポンジ材Ｚは、図９に示すように、カットパイル織物Ｙ２の布裏面１Ｙ（基布１及びカットパイル経糸２の布裏面）に接着されている。
カットパイル織物Ｙ２は、布裏面１Ｙをスポンジ材Ｚの上平面３Ｘ（一の平面）に向けて、スポンジ材Ｚの上平面３Ｘ上に載置される。カットパイル織物Ｙ２は、各カットパイル経糸２２，２２，…を上方に向けて、スポンジ材Ｚの上平面３Ｘにわたって載置される。
スポンジ材Ｚ、及びカットパイル織物Ｙ２は、布裏面１Ｙ及び上平面３Ｘの間に接着剤４を介在して接合（接着）される。
【００３０】
カットパイル織物Ｙ２は、例えば、二重パイル織機によって得られる。二重パイル織機は、図１０及び図１１に示すように、２枚の基布１，１、及び上下方向ＵＤにおいて、各基布１，１の間に複数配置されるパイル経糸２５（パイル糸）を有するパイル織物Ｂを形成（製織）する。
二重パイル織機は、経糸１Ａ及び緯糸１Ｂにて地組織の２枚（上下二枚）の基布１，１を織って行く際に、パイル経糸２５を各基布１，１に織込んで、各基布１，１の間に複数のパイル経糸２５，２５，…を配置したパイル織物Ｂを形成（製織）する。パイル経糸２５，２５，…は、各基布１，１の各緯糸１Ｂ，１Ｂ，…にＶ織りされて、各基布１，１に織込まれる。
二重パイル織機は、パイル織物Ｂを形成（製織）すると、図１１及び図１２に示すように、パイル織物Ｂの各基布１，１の間に配置された全てのパイル経糸２５を切断する。各基布１，１の間に配置した各パイル経糸２５，２５，…は、各基布１，１の間の中央にて二分割に切断される。
このように、パイル織物Ｂの各基布１，１の間にて各パイル経糸２５，２５，…を切断することで、一の基布１（１枚の基布）及びこの基布１の布表面１Ｘから突出する複数のカットパイル経糸２２，２２，…からなるカットパイル織物Ｙ２を得る。カットパイル経糸２を構成する複数の繊維（例えば、ポリアミド繊維）は、図１２に示すように、多方向に広がった状態になる。
【００３１】
カットパイル織物Ｙ２は、各カットパイル経糸２２，２２，…に傾斜処理又は傾斜加工を施して傾斜させる。これにより、全てのカットパイル経糸２２，２２，…は、同一方向であって、例えば、経方向Ｑにおいて、一方向Ｑ１に傾斜される。各カットパイル経糸２，２，…を構成する複数の繊維２２Ａ，２２Ａ，…も、例えば、経方向Ｑにおいて、一方向Ｑ１（右方向）に傾斜される。
【００３２】
清掃用具Ｘ２は、清掃対象物（洗浄対象物）、例えば、浴室Ｆの床面ＦＬを清掃（洗浄）する際に使用される。清掃用具Ｘ２は、図１３に示すように、カットパイル織物Ｙ２の各カットパイル経糸２２，２２，…を床面ＦＬに接触して配置される。
このとき、各カットパイル経糸２２，２２，…（各繊維２２Ａ）は、図１３に示すように、経方向Ｑの一方向Ｑ１に揃えられて傾斜して、浴室Ｆの床面ＦＬに当接される。
【００３３】
続いて、スポンジ材Ｚを把持して、各カットパイル経糸２２，２２，…を浴室Ｆの床面ＦＬに押付ける。これにより、各カットパイル経糸２２，２２，…（各繊維２２Ａ，２２Ａ，…）は、経方向Ｑの一方向Ｑ１に揃えられて傾斜した状態で変形され、浴室Ｆの床面ＦＬに圧接される。
各カットパイル経糸２２，２２，…を床面ＦＬに圧接した状態において、清掃用具Ｘ２を、カットパイル織物Ｙ２（基布１）の経方向Ｑに往復摺動（往復移動）する。
清掃用具Ｘ２は、経方向Ｑの一方向Ｑ１への摺動によって、全てのカットパイル経糸２２，２２，…（各繊維２２Ａ）の先端（先端面）を床面ＦＬに引掛ける（食込ませる）ように圧接して摺動される。
これにより、全てのカットパイル経糸２２，２２，…（各繊維２２Ａ）は、浴室Ｆの床面ＦＬの汚れを床面ＦＬから剥して捕捉する。
【００３４】
一方、清掃用具Ｘ２は、図１３に示すように、経方向Ｑの他方向Ｑ２への摺動によって、全てのカットパイル経糸２２，２２，…（繊維２２Ａ）を浴室Ｆの床面ＦＬに滑らかに圧接する。このとき、全てのカットパイル経糸２２，２２，…（繊維２２Ａ）は、経方向Ｑ１の一方向Ｑ１に傾斜されつつ、経方向Ｑの他方向Ｑ１に摺動され、浴室ＤＦの床面Ｆｌの汚れを拭取る。
なお、浴室Ｆの床面ＦＬに清掃（洗浄）において、清掃用具Ｘ２のスポンジ材Ｚに洗剤及び水を含ませて清掃（洗浄）する。スポンジ材Ｚに含ませた洗剤及び水は、スポンジ材Ｚから直接、浴室Ｆの床面ＦＬに塗布され、又、スポンジ材Ｚの上平面３Ｘからカットパイル織物Ｙ２に流れて、各カットパイル経糸２２，２２，…（繊維２２Ａ）に塗布される。
【００３５】
このように、第２実施形態の清掃用具Ｘ２では、全てのカットパイル経糸２２，２２，…（繊維２２Ａ）を同一方向であって、例えば、経方向Ｑ１の一方向Ｑ１に傾斜させている。
これにより、清掃対象物（洗浄対象部）を清掃（洗浄）する際に、清掃用具Ｘ２を各カットパイル経糸２２，２２，…（繊維２２Ａ）の傾斜する一方向に摺動することで、全てのカットパイル経糸２２，２２，…（繊維２２Ａ）にて清掃対象物の汚れを剥がすことができる。
【００３６】
第１及び第２実施形態の清掃用具Ｘ１，Ｘ２では、全てのカットパイル経糸２，２２を傾斜する方向は、経方向において、一方向に限定されず、例えば、緯方向Ｐにおいて、一方向に傾斜する構成も採用できる。
【００３７】
第１及び第２実施形態の清掃用具Ｘ１，Ｘ２では、１枚の基布にパイル経糸を織込んで、基布の布表面に複数のループパイル経糸を形成し、更に、各ループパイルを切断することで、基布及びこの基布の布表面に突出する複数のカットパイル経糸からなるカットパイル織物を得ることもできる。パイル経糸は、基布の緯糸にＷ織り、又はＶ織りして、基布に織込まれる。
【００３８】
第１及び第２実施形態の清掃用具Ｘ１，Ｘ２を使用する清掃対象物は、浴室の床面に限定されず、浴槽、食器類、又は家屋の床面等であっても良い。
【産業上の利用可能性】
【００３９】
本考案は、浴室、浴槽又は床面等を清掃（洗浄）するのに最適である。
【符号の説明】
【００４０】
Ｘ１，Ｘ２  清掃用具（浴室用清掃用具／浴室用洗浄用具）
Ｙ１，Ｙ２  カットパイル織物
Ｚ  スポンジ材
１Ｘ  基布の布表面
１Ｙ  カットパイル織物の布裏面
１  基布
１Ａ  経糸
１Ｂ  緯糸
２，２２  カットパイル経糸（カットパイル糸）
２Ａ，２２Ａ  カットパイル経糸を構成する繊維
５，２５  パイル経糸
４  接着剤
Ａ，Ｂ  パイル織物
Ｐ  緯方向（織幅方向）
Ｑ  経方向（織方向）
【図１】
0003212143.tif 000003
【図２】
0003212143.tif 000004
【図３】
0003212143.tif 000005
【図４】
0003212143.tif 000006
【図５】
0003212143.tif 000007
【図６】
0003212143.tif 000008
【図７】
0003212143.tif 000009
【図８】
0003212143.tif 000010
【図９】
0003212143.tif 000011
【図１０】
0003212143.tif 000012
【図１１】
0003212143.tif 000013
【図１２】
0003212143.tif 000014
【図１３】
0003212143.tif 000015